(57)【要約】【課題】情報提供側端末からサービス提供サーバにある位置に固有の情報を提供する際、及び情報要求側端末がサービス提供サーバに情報の提供を要求する際に、位置情報の提供を制御することのできる情報提供システム及び情報提供方法を提供する。【解決手段】サービス提供サーバ１３からの位置情報取得要求に伴い、位置取得局１２からサービス提供サーバ１３へ送信される携帯電話１１及び携帯電話または１４の位置情報の送信を制御する位置情報送信制御装置１７を設ける。位置情報送信制御局１７では、位置取得局１２の情報提供ポリシー２２、サービス提供サーバ１３の情報要求ポリシー２３、及び携帯電話１１のユーザポリシー２１あるいは携帯電話またはＰＣ１４のユーザポリシー２４を用いて、位置情報の送信可否を判断する。【選択図】            図２
2004260724.tif 000002
【特許請求の範囲】
【請求項１】
所在位置付近における固有情報または該所在位置の正確な位置情報の取得を要求する情報要求側端末と、該情報要求側端末の位置情報を保持し要求に応じて位置情報を提供する位置取得装置と、該位置取得装置から受信した該情報要求側端末の位置情報を基に、該所在位置付近の固有情報または該所在位置の正確な位置情報を該情報要求側端末に提供するサービス提供サーバとを有する情報提供システムにおいて、
前記情報要求側端末が前記情報要求側端末を識別するユーザ識別子を前記サービス提供サーバに送信したことに端を発する前記サービス提供サーバの前記位置取得装置への位置情報の取得要求に対して、前記位置取得装置からサービス提供サーバへ送信される前記情報要求側端末の位置情報の送信を制御する前記位置情報送信制御装置を設けた
ことを特徴とする情報提供システム。
【請求項２】
前記位置情報送信制御装置は、予め登録された前記位置取得装置の情報提供ポリシーと、前記サービス提供サーバの情報要求ポリシーと、前記情報要求側端末のユーザポリシーとを比較して前記位置情報の前記サービス提供サーバへの送信の可否を判断する
ことを特徴とする請求項１記載の情報提供システム。
【請求項３】
所在位置の固有情報を提供する情報提供側端末を有し、
前記位置取得装置は、該情報提供側端末の位置情報を保持し、前記サービス提供サーバの要求に応じて該情報提供側端末の位置情報を提供し、
前記位置情報送信制御装置は、前記情報提供側端末が前記サービス提供サーバに前記情報提供側端末のユーザ識別子を送信したことに端を発する前記サービス提供サーバの前記位置取得装置への前記情報提供側端末の位置情報の取得要求に対して、前記位置取得装置からサービス提供サーバへ送信される前記情報提供側端末の位置情報の送信を制御し、
前記サービス提供サーバは、前記位置取得装置から受信した該情報提供側端末の位置情報と、該情報提供側端末により提供された所在位置付近の固有情報を関連させて記憶する
ことを特徴とする請求項１または２何れか１項記載の情報提供システム。
【請求項４】
前記位置情報送信制御装置は、予め登録された前記情報提供側端末のユーザポリシーと、前記位置取得装置の情報提供ポリシーと、前記サービス提供サーバの情報要求ポリシーとを比較して前記位置情報の前記サービス提供サーバへの送信の可否を判断する
ことを特徴とする請求項１乃至３何れか１項記載の情報提供システム。
【請求項５】
予め前記情報要求側端末にパスワードを付与するとともに前記サービス提供サーバにはパスワードと前記情報要求側端末のユーザ識別情報との対応を格納しておき、
前記サービス提供サーバは、前記情報要求側端末のユーザ識別情報とパスワードとを受信すると、記憶してあるユーザ識別情報とパスワードとを用いて認証を行う
ことを特徴とする請求項１乃至４何れか１項記載の情報提供システム。
【請求項６】
情報要求側端末が、所在位置付近における固有情報または該所在位置の正確な位置情報の取得を、情報を提供するサービス提供サーバに要求すると、該サービス提供サーバが、該情報要求側端末の位置情報を保持し要求に応じて位置情報を提供する位置取得装置から受信した該情報要求側端末の位置情報を基に、該所在位置付近の固有情報または該所在位置の正確な位置情報を提供する情報提供方法であって、
前記情報要求側端末が、前記情報要求側端末を識別するユーザ識別情報を前記サービス提供サーバに送信し位置情報の取得を要求する工程と、
前記サービス提供サーバが該ユーザ識別子及び前記サービス提供サーバを識別するサーバ識別子を前記位置取得装置に送信し前記情報要求側端末の位置情報の取得を要求する工程と、
前記要求に応じて前記位置取得装置が、前記ユーザ識別情報及びサーバ識別情報を、前記位置情報の前記サービス提供サーバへの送信の可否を判断する位置情報送信制御装置に送信し、前記情報要求側端末の位置情報の前記サービス提供サーバへの送信の可否の判断を要求する工程と、
前記要求に応じて前記位置情報送信制御装置が、前記位置情報の前記サービス提供サーバへの送信の可否を判断する工程と、
前記位置情報送信制御装置が、前記位置情報の送信の可否を前記位置取得装置に通知する工程と、
送信可の場合に前記位置取得装置が、前記サービス提供サーバへ前記位置情報、ユーザ識別情報及びサーバ識別情報を前記サービス提供サーバへ送信する工程と、
前記サービス提供サーバが、取得した位置情報をもとに該位置付近における固有情報または該所在位置の正確な位置情報を前記情報要求側端末へ送信する工程とを有する
ことを特徴とする情報提供方法。
【請求項７】
前記位置情報送信制御装置は、予め登録された前記情報要求側端末のユーザポリシーと、前記位置取得装置の情報提供ポリシーと、前記サービス提供サーバの情報要求ポリシーとを比較して前記位置情報の前記サービス提供サーバへの送信の可否を判断する
ことを特徴とする請求項６記載の情報提供方法。
【請求項８】
情報提供側端末が、前記サービス提供サーバに対して所在位置の固有情報及び情報提供側端末を識別するユーザ識別情報を送信する工程と、
前記サービス提供サーバが、前記固有情報及びユーザ識別情報を受信すると、前記位置取得装置に前記情報提供側端末のユーザ識別情報及びサーバ識別情報を送信し前記情報提供側端末の位置情報の取得を要求する工程と、
前記要求に応じて前記位置取得装置が、前記位置取得装置から前記位置情報送信制御装置へ前記情報提供側端末のユーザ識別情報及びサーバ識別情報を送信し、前記サービス提供サーバへの位置情報の送信の可否の判断を要求する工程と、
前記位置情報送信制御装置が、前記情報提供側端末の位置情報の前記サービス提供サーバへの送信の可否を判断する工程と、
前記位置情報送信制御装置が、前記情報提供側端末の位置情報の送信の可否を前記位置取得装置に通知する工程と、
送信可の場合に前記位置取得装置が、前記サービス提供サーバへ前記情報提供側端末の位置情報、前記情報提供側端末のユーザ識別情報及びサーバ識別情報を送信する工程と、
前記情報提供側端末の位置情報、前記情報提供側端末のユーザ識別情報及びサーバ識別情報を受信した前記サービス提供サーバが、前記情報提供側端末の位置情報と前記固有情報とを関連させて記憶する工程とを有する
ことを特徴とする請求項６または７何れか１項記載の情報提供方法。
【請求項９】
前記位置情報送信制御装置は、予め登録された前記位置取得装置の情報提供ポリシーと、前記サービス提供サーバの情報要求ポリシーと、前記情報提供側端末のユーザポリシーとを比較して前記位置情報の前記サービス提供サーバへの送信の可否を判断する
ことを特徴とする請求項６乃至８何れか１項記載の情報提供方法。
【請求項１０】
予め前記情報要求側端末にパスワードを付与するとともに前記サービス提供サーバにパスワードと前記情報要求側端末のユーザ識別情報との対応を格納する工程と、
前記サービス提供サーバが、前記情報要求側端末のユーザ識別情報とパスワードとを受信すると、記憶してあるユーザ識別情報とパスワードとを用いて認証を行う工程とを有する
ことを特徴とする請求項６乃至９何れか１項記載の情報提供方法。
【発明の詳細な説明】
【０００１】
【発明の属する技術分野】
本発明は、端末が該端末の所在位置付近における固有情報をサーバから受け取る情報提供システム及び方法に関する。
【０００２】
【従来の技術】
現在、携帯端末の技術進歩に伴い、現在位置を知ることができる機能が搭載された携帯端末が増えつつあり、それに伴いユーザの位置情報を用いたサービスも登場している。例えば、ユーザが、ユーザの位置情報をたよりにサーバが提供する現在位置付近に関する情報をサーバに対して要求すると、他のユーザによってサーバに提供された現在位置付近に関する情報が提供されるサービスが挙げられる。
【０００３】
図１は上記例に係る従来の情報提供システムを表しており、１は携帯電話、２は位置取得局、３はサービス提供サーバ、４は携帯電話またはＰＣ、５Ａ，５Ｂは無線基地局、６は位置取得局２とサービス提供サーバ３と情報要求側端末４と無線基地局５Ａ，５Ｂとを接続する電気通信網である。無線基地局５Ａと５Ｂはそれぞれ近隣の異なるエリア（それぞれエリアＡ、エリアＢとする）に属し、それぞれのエリア内に存在する携帯端末の電波を検知している。例えば、エリアＡ内に存在する携帯電話１の位置情報は無線基地局５Ａにより検知されており位置取得局２に通知される。エリアＢ内に存在する携帯電話またはＰＣ４の位置情報は無線基地局５Ｂに検知されており、位置取得局２に通知される。
【０００４】
携帯電話１がエリアＡ内のある店舗において、固有情報として店舗情報と携帯電話１のユーザ識別情報とをサービス提供サーバ３へ送信すると、サービス提供サーバ３は位置取得局２に携帯電話１の位置情報の取得を要求する。サービス提供サーバ３は位置取得局２から位置情報を取得し店舗情報と関連させて保存する。
【０００５】
エリアＡの近隣にあるエリアＢ内に存在する携帯電話４（携帯電話を例とする）が、サービス提供サーバ３に対してユーザ識別情報を送信すると、提示されるエリアＡを含む複数の近隣エリアから一つを選択し、例えば、エリアＡを選択する。続いて、上記店舗を含む多数の選択肢が提示され、上記店舗を選ぶと、携帯電話１が提供した店舗情報を閲覧することができる。
【０００６】
サービス提供サーバ３は、位置取得局２に対して携帯電話４の位置情報の取得を要求する。サービス提供サーバ３は位置取得局２から携帯電話４の位置情報を取得し、位置情報に対応して記憶されている固有情報または保持している地図上に携帯電話４の位置を明示した地図情報を、携帯電話４の要求にしたがって送信する。（例えば、非特許文献１）。
【０００７】
【非特許文献１】
“Ｉエリア”、［ｏｎｌｉｎｅ］、２００３、［平成１５年１月３１日検索］、インターネット＜ＵＲＬ：ｈｔｔｐ：／／ｗｗｗ．ｎｔｔｄｏｃｏｍｏ．ｃｏ．ｊｐ／ｐ ｓ／ｉｍｏｄｅ／ｉａｒｅａ／＞
【０００８】
【発明が解決しようとする課題】
しかしながら、このようなサービスでは携帯電話１の現在の位置情報は、無線基地局５Ａによって収集され位置取得局２の知るところとなり、上記サービスを提供するサーバ提供サーバ３の位置情報取得要求に対して無断で位置情報が送信されるのみならず、他の通信事業者等にも無断で取得されてしまう可能性があり、プライバシー上問題がある。このプライバシーの問題を回避するには、現在では、携帯電話１が情報をサービス提供サーバ３に提供する際、位置情報も送信してよいかを随時確認しなければならず煩雑である。また同様に、携帯電話４からサービス提供サーバ３に情報を要求する際にも、位置情報が無断でサービス提供サーバ３等に取得されてしまうだけでなく、他の通信事業者等にも無断で取得されてしまう可能性がある。このように、携帯端末の位置情報は、情報を提供する際にも要求する際にも適切に管理されているとは言えないのが現状である。
【０００９】
本発明は上記問題に鑑みてなされたものであって、その目的とするところは、情報提供側端末からサービス提供サーバへ、ある位置に固有の情報を提供する際、及び情報要求側端末がある位置において、上記固有の情報を含むサービス提供サーバに蓄積された情報を要求する際に、位置情報も提供してよいかを確認するような煩雑な手順を経ることなく、位置情報の提供を制御することのできる情報提供システム及び情報提供方法を提供することにある。
【００１０】
【課題を解決するための手段】
前記目的を達成するため請求項１では、所在位置付近における固有情報または該所在位置の正確な位置情報の取得を要求する情報要求側端末と、該情報要求側端末の位置情報を保持し要求に応じて位置情報を提供する位置取得装置と、該位置取得装置から受信した該情報要求側端末の位置情報を基に、該所在位置付近の固有情報または該所在位置の正確な位置情報を該情報要求側端末に提供するサービス提供サーバとを有する情報提供システムにおいて、前記情報要求側端末が前記情報要求側端末を識別するユーザ識別子を前記サービス提供サーバに送信したことに端を発する前記サービス提供サーバの前記位置取得装置への位置情報の取得要求に対して、前記位置取得装置からサービス提供サーバへ送信される前記情報要求側端末の位置情報の送信を制御する前記位置情報送信制御装置を設けたことを特徴とする情報提供システムをもって解決手段とする。
【００１１】
請求項１の発明によれば、位置取得局が情報要求側端末の位置情報の送信する時、直接サービス提供サーバには送信されず、位置情報送信制御装置を経由して送信される。この位置情報送信制御装置において情報要求側端末の位置情報のサービス提供サーバへの送信制御を行う。
【００１２】
請求項２では、前記位置情報送信制御装置は、予め登録された前記位置取得装置の情報提供ポリシーと、前記サービス提供サーバの情報要求ポリシーと、前記情報要求側端末のユーザポリシーとを比較して前記位置情報の前記サービス提供サーバへの送信の可否を判断することを特徴とする請求項１記載の情報提供システムをもって解決手段とする。
【００１３】
これにより、各ポリシーを比較して送信の可否を判断するので、きめ細かな設定により情報要求側端末の位置情報のサービス提供サーバへの送信を制御することができる。
【００１４】
請求項３では、所在位置の固有情報を提供する情報提供側端末を有し、前記位置取得装置は、該情報提供側端末の位置情報を保持し、前記サービス提供サーバの要求に応じて該情報提供側端末の位置情報を提供し、前記位置情報送信制御装置は、前記情報提供側端末が前記サービス提供サーバに前記情報提供側端末のユーザ識別子を送信したことに端を発する前記サービス提供サーバの前記位置取得装置への前記情報提供側端末の位置情報の取得要求に対して、前記位置取得装置からサービス提供サーバへ送信される前記情報提供側端末の位置情報の送信を制御し、前記サービス提供サーバは、前記位置取得装置から受信した該情報提供側端末の位置情報と、該情報提供側端末により提供された所在位置付近の固有情報を関連させて記憶することを特徴とする請求項１または２何れか１項記載の情報提供システムをもって解決手段とする。
【００１５】
請求項３の発明によれば、位置取得局が情報提供側端末の位置情報の送信する時、直接サービス提供サーバには送信されず、位置情報送信制御装置を経由して送信される。この位置情報送信制御装置において情報提供側端末の位置情報のサービス提供サーバへの送信制御を行う。
【００１６】
請求項４では、前記位置情報送信制御装置は、予め登録された前記情報提供側端末のユーザポリシーと、前記位置取得装置の情報提供ポリシーと、前記サービス提供サーバの情報要求ポリシーとを比較して前記位置情報の前記サービス提供サーバへの送信の可否を判断することを特徴とする請求項１乃至３何れか１項記載の情報提供システムをもって解決手段とする。
【００１７】
これにより、各ポリシーを比較して送信の可否を判断するので、きめ細かな設定により情報提供側端末の位置情報のサービス提供サーバへの送信を制御することができる。
【００１８】
請求項５では、予め前記情報要求側端末にパスワードを付与するとともに前記サービス提供サーバにはパスワードと前記情報要求側端末のユーザ識別情報との対応を格納しておき、前記サービス提供サーバは、前記情報要求側端末のユーザ識別情報とパスワードとを受信すると、記憶してあるユーザ識別情報とパスワードとを用いて認証を行う。
【００１９】
これにより、システムへのアクセスを許されている者にだけ、所望の情報を提供することができる。
【００２０】
請求項６では、情報要求側端末が、所在位置付近における固有情報または該所在位置の正確な位置情報の取得を、情報を提供するサービス提供サーバに要求すると、該サービス提供サーバが、該情報要求側端末の位置情報を保持し要求に応じて位置情報を提供する位置取得装置から受信した該情報要求側端末の位置情報を基に、該所在位置付近の固有情報または該所在位置の正確な位置情報を提供する情報提供方法であって、前記情報要求側端末が、前記情報要求側端末を識別するユーザ識別情報を前記サービス提供サーバに送信し位置情報の取得を要求する工程と、前記サービス提供サーバが該ユーザ識別子及び前記サービス提供サーバを識別するサーバ識別子を前記位置取得装置に送信し前記情報要求側端末の位置情報の取得を要求する工程と、前記要求に応じて前記位置取得装置が、前記ユーザ識別情報及びサーバ識別情報を、前記位置情報の前記サービス提供サーバへの送信の可否を判断する位置情報送信制御装置に送信し、前記情報要求側端末の位置情報の前記サービス提供サーバへの送信の可否の判断を要求する工程と、前記要求に応じて前記位置情報送信制御装置が、前記位置情報の前記サービス提供サーバへの送信の可否を判断する工程と、前記位置情報送信制御装置が、前記位置情報の送信の可否を前記位置取得装置に通知する工程と、送信可の場合に前記位置取得装置が、前記サービス提供サーバへ前記位置情報、ユーザ識別情報及びサーバ識別情報を前記サービス提供サーバへ送信する工程と、前記サービス提供サーバが、取得した位置情報をもとに該位置付近における固有情報または該所在位置の正確な位置情報を前記情報要求側端末へ送信する工程とを有することを特徴とする情報提供方法をもって解決手段とする。
【００２１】
請求項６の発明によれば、前記位置情報送信制御装置は、前記情報要求側端末が前記サービス提供サーバに前記情報要求端末のユーザ識別情報を送信したことに端を発する前記サービス提供サーバの前記位置取得装置への位置情報の取得要求に対して、前記位置取得装置からサービス提供サーバへ送信される前記情報要求側端末の位置情報の送信を制御するので、前記情報要求側端末の位置情報は直接サービス提供サーバには送信されない。
【００２２】
請求項７では、前記位置情報送信制御装置は、予め登録された前記情報要求側端末のユーザポリシーと、前記位置取得装置の情報提供ポリシーと、前記サービス提供サーバの情報要求ポリシーとを比較して前記位置情報の前記サービス提供サーバへの送信の可否を判断することを特徴とする請求項６記載の情報提供方法をもって解決手段とする。
【００２３】
これにより、各ポリシーを比較して送信の可否を判断するので、きめ細かな設定により情報要求側端末の位置情報のサービス提供サーバへの送信を制御することができる。
【００２４】
請求項８の発明によれば、情報提供側端末が、前記サービス提供サーバに対して所在位置の固有情報及び情報提供側端末を識別するユーザ識別情報を送信する工程と、前記サービス提供サーバが、前記固有情報及びユーザ識別情報を受信すると、前記位置取得装置に前記情報提供側端末のユーザ識別情報及びサーバ識別情報を送信し前記情報提供側端末の位置情報の取得を要求する工程と、前記要求に応じて前記位置取得装置が、前記位置取得装置から前記位置情報送信制御装置へ前記情報提供側端末のユーザ識別情報及びサーバ識別情報を送信し、前記サービス提供サーバへの位置情報の送信の可否の判断を要求する工程と、前記位置情報送信制御装置が、前記情報提供側端末の位置情報の前記サービス提供サーバへの送信の可否を判断する工程と、前記位置情報送信制御装置が、前記情報提供側端末の位置情報の送信の可否を前記位置取得装置に通知する工程と、送信可の場合に前記位置取得装置が、前記サービス提供サーバへ前記情報提供側端末の位置情報、前記情報提供側端末のユーザ識別情報及びサーバ識別情報を送信する工程と、前記情報提供側端末の位置情報、前記情報提供側端末のユーザ識別情報及びサーバ識別情報を受信した前記サービス提供サーバが、前記情報提供側端末の位置情報と前記固有情報とを関連させて記憶する工程とを有することを特徴とする請求項６または７何れか１項記載の情報提供方法をもって解決手段とする。
【００２５】
請求項８の発明によれば、前記位置情報送信制御装置は、前記情報提供側端末が前記サービス提供サーバに前記情報提供端末のユーザ識別情報を送信したことに端を発する前記サービス提供サーバの前記位置取得装置への位置情報の取得要求に対して、前記位置取得装置からサービス提供サーバへ送信される前記情報提供側端末の位置情報の送信を制御するので、前記情報提供側端末の位置情報は直接サービス提供サーバには送信されない。
【００２６】
請求項９では、前記位置情報送信制御装置は、予め登録された前記位置取得装置の情報提供ポリシーと、前記サービス提供サーバの情報要求ポリシーと、前記情報提供側端末のユーザポリシーとを比較して前記位置情報の前記サービス提供サーバへの送信の可否を判断することを特徴とする請求項６乃至８何れか１項記載の情報提供方法をもって解決手段とする。
【００２７】
これにより、各ポリシーを比較して送信の可否を判断するので、きめ細かな設定により情報提供側端末の位置情報のサービス提供サーバへの送信を制御することができる。
【００２８】
請求項１０では、予め前記情報要求側端末にパスワードを付与するとともに前記サービス提供サーバにパスワードと前記情報要求側端末のユーザ識別情報との対応を格納する工程と、前記サービス提供サーバが、前記情報要求側端末のユーザ識別情報とパスワードとを受信すると、記憶してあるユーザ識別情報とパスワードとを用いて認証を行う工程とを有する。
【００２９】
これにより、予め情報の取得を許されている者にだけ、所望の情報を提供することができる。
【００３０】
【発明の実施の形態】
図２は本願発明に係る情報提供システムの一実施形態を示しており、１１は携帯電話、１２は位置取得局、１３はサービス提供サーバ、１４は携帯電話またはＰＣ、１５Ａ，１５Ｂは無線基地局、１６は電気通信網、１７は位置情報送信制御局、２１は携帯電話１１のユーザポリシー、２２は位置取得局１２の情報提供ポリシー、２３はサービス提供サーバの情報要求ポリシー、２４は携帯電話またはＰＣ１４のユーザポリシーを表している。位置取得局１２とサービス提供サーバ１３と携帯電話またはＰＣ１４と位置情報送信制御局１７とは、電気通信網１６により接続されている。携帯電話１１は無線通信網を介して電気通信網１６に接続する。無線基地局１５Ａと１５Ｂはそれぞれ近隣の異なるエリア（それぞれエリアＡ、エリアＢとする）に属し、それぞれのエリア内に存在する携帯端末の電波を検知している。例えば、エリアＡ内に存在する携帯電話１１の位置情報は無線基地局１５Ａにより検知されており位置取得局１２に通知される。エリアＢ内に存在する携帯電話またはＰＣ１４の位置情報は無線基地局１５Ｂに検知されており位置取得局１２に通知される。
【００３１】
前記の従来例における情報提供システムと、本願発明に係る情報提供システムとでは、本願発明に係る情報提供システムが位置情報送信制御局１７を有している点で異なっている。また、携帯電話１１がユーザポリシー２１を、位置取得局１２が情報提供ポリシー２２を、サービス提供サーバ１３が情報要求ポリシー２３を、携帯電話またはＰＣ１４がユーザポリシー２４を有している点でも異なっている。
【００３２】
携帯電話１１は、例えば、エリアＡ内の現在の位置情報及びその位置に固有の情報で提供したい固有情報、ユーザ識別情報を発信し、位置情報は無線基地局１５が検知し位置取得局１２の管理するところとなり、提供された固有情報はサービス提供サーバ１３のデータベースに格納される。携帯電話１１は、本情報提供システムにアクセスする前に、位置情報送信制御局１７のポリシー記憶手段にユーザポリシー２１を登録しておかなければならない。
【００３３】
携帯電話またはＰＣ１４は、例えば、エリアＡに近隣のエリアＢ内のある位置において、エリアＡにおけるある位置の固有情報の取得を要求する。携帯電話またはＰＣ１４の位置情報とユーザ識別情報を発信し、位置情報は無線基地局１５が検知し位置取得局１２の管理下となる。携帯電話またはＰＣ１４は、本情報提供システムにアクセスする前に、位置情報送信制御局１７にユーザポリシー２４を登録しておかなければならない。
【００３４】
サービス提供サーバ１３は、携帯電話１１からの情報提供、または携帯電話またはＰＣ１４からの情報要求があると、位置取得局１２に対してそれぞれのユーザ識別情報を送信し、それぞれ携帯電話１１の位置情報または携帯電話１４の位置情報の取得を要求する。また、携帯電話１１から固有情報が提供された時に固有情報と位置情報とを情報記憶手段に記憶しておき、携帯端末またはＰＣ１４の求めに応じ抽出し提供する。サーバ提供サーバ１３は、位置情報送信制御局１７に情報要求ポリシー２３を登録しておく。
【００３５】
サービス提供サーバ１３はまた、地図を有しており、携帯電話またはＰＣ１４からの情報提供要求に従い、携帯電話またはＰＣ１４の位置情報を地図上に重畳させて返信する。
【００３６】
位置取得局１２は、無線基地局１５Ａから携帯電話１１の位置情報、無線基地局１５Ｂから携帯電話またはＰＣ１４の位置情報を取得する。サービス提供サーバ１３からこれらの位置情報の取得要求があると、位置情報送信制御局１７にサービス提供サーバ１３から受け取ったユーザ識別情報及びサーバ識別情報を送信し、位置情報の送信可否を問い合わせる。送信可であれば、サービス提供サーバ１３に位置情報を提供し、送信不可であれば、その旨をサービス提供サーバ１３に通知する。位置取得局１２は、情報要求ポリシー２２を位置情報送信制御局１７に登録しておく。
【００３７】
位置情報送信制御局１７には、携帯電話１１のユーザポリシー２１と、位置取得局１２の情報提供ポリシー２２と、サービス提供サーバ１３の情報要求ポリシー２３と、携帯電話またはＰＣ１４のユーザポリシー２４とが、サービス提供サーバ１３から携帯電話１１、携帯電話またはＰＣ１４の位置情報取得要求がある前にポリシー記憶手段に登録されなければならない。
【００３８】
位置情報送信制御局１７は、位置取得局１２からユーザ識別情報及びサーバ識別情報を受け、位置情報のサービス提供サーバ１３への送信可否を求められた時、サービス提供サーバ１３が携帯電話１１の位置情報の取得を要求している場合（ユーザ識別情報から判断する。この場合は携帯電話１１のユーザ識別情報）は、ポリシー記憶手段に記憶されているユーザポリシー２１（携帯電話１１のユーザ識別情報に対応している）と情報提供ポリシー２２と情報要求ポリシー２３とから、送信可否判定手段により携帯電話１１の位置情報をサービス提供サーバ１３に提供してよいか否かを判断し、判定結果を位置取得局１２に送信する。
【００３９】
また、位置情報送信制御局１７は、位置取得局１２からユーザ識別情報及びサーバ識別情報を受け、位置情報のサービス提供サーバ１３への送信可否を求められた時、サービス提供サーバ１３が携帯電話またはＰＣ１４の位置情報の取得を要求している場合（ユーザ識別情報から判断する。この場合は、携帯電話またはＰＣ１４のユーザ識別情報）は、ポリシー記憶手段に記憶されているユーザポリシー２４（ユーザ識別情報に対応）と情報提供ポリシー２２と情報要求ポリシー２３とから、携帯電話またはＰＣ１４の位置情報をサービス提供サーバ１３に提供してよいか否かを判断し、判定結果を位置取得局１２に送信する。
【００４０】
ユーザポリシー２１は、携帯電話１１がサービス提供サーバ１３に、ある位置に固有の情報を提供する際に、携帯電話１１の所在位置の位置情報を提供するか否かの判断に用いられるものであって、携帯電話１１の位置情報がどのような目的で、どのような送信先へ、どれだけの期間だけ流通されるべきか等の位置情報の流通条件を定めている。
【００４１】
情報提供ポリシー２２は、位置取得局１２が携帯電話１１の位置情報または、携帯電話またはＰＣ１４の位置情報の取得をサービス提供サーバ１３から要求された際に、これらの位置情報をどのような目的で、どのような送信先へ、どれだけの期間だけ流通されるべきか等の位置情報の流通条件を定めている。
【００４２】
情報要求ポリシー２３は、サービス提供サーバ１３が携帯電話１１からある位置に関する固有情報と携帯電話１１のユーザ識別情報を受け取った場合に、携帯電話１１の位置情報をどのような目的で、どのような送信先へ、どれだけの期間だけ流通されるべきか等の位置情報の流通条件と、サービス提供サーバ１３が携帯電話またはＰＣ１４から携帯電話またはＰＣ１４のユーザ識別子を受信した場合に、携帯電話またはＰＣ１４の位置情報をどのような目的で、どのような送信先へ、どれだけの期間だけ流通されるべきか等の位置情報の流通条件とを定めている。
【００４３】
ユーザポリシー２４は、携帯電話またはＰＣ１４がサービス提供サーバ１３に、携帯電話またはＰＣ１４のユーザ識別子を送信した場合に、携帯電話またはＰＣ１４の所在位置の位置情報を提供するか否かの判断に用いられるものであって、携帯電話またはＰＣ１４の位置情報がどのような目的で、どのような送信先へ、どれだけの期間だけ流通されるべきか等の位置情報の流通条件を定めている。
【００４４】
以下、無線基地局１５Ａが管轄するエリアＡ内において、携帯端末１１を有するユーザが、エリアＡ内のある店舗において、現在いる店舗の店名、業種等の店舗情報と、その店舗に関する店舗評価情報を携帯電話１１を用いてサービス提供サーバ１３に提供する場合について説明する。
【００４５】
ここでは、サービス提供サーバ１３が位置情報送信制御局１７に対して携帯電話１１の位置情報の取得を要求する前に、携帯電話１１のユーザ識別情報と対応するユーザポリシー２１と、位置取得局１２の情報提供ポリシー２２と、サービス提供サーバ１３の情報要求ポリシー２３とが、位置情報送信制御局１７のデータベース（ポリシー記憶手段に相当）に登録されているものとする。
【００４６】
図３は、無線基地局１５Ａが管轄するエリアＡ内において、携帯端末１１のユーザが、エリアＡ内のあるある店舗において、現在いる店舗の店名、業種等の店舗情報とその店舗に関する店舗評価情報を、携帯電話１１を用いてサービス提供サーバ１３に提供する手順を表すシーケンス図である。
【００４７】
位置取得局１２は、無線基地局１５Ａにより検知される携帯電話１１の位置情報を電気通信網１６を介して受け取り保持している。
【００４８】
ユーザにより携帯電話１１にユーザ識別情報、店舗情報及び店舗評価情報が入力されると、携帯端末１１は、店舗情報、店舗評価情報及びユーザ識別情報をサービス提供サーバ１３へ送信する。
【００４９】
店舗情報、店舗評価情報及びユーザ識別情報を受信したサービス提供サーバ１３は、ユーザ識別情報及びサービス提供サーバ１３を識別するサーバ識別情報を位置取得局１２へ電気通信網１６を介して送信し携帯電話１１の位置情報を要求する。店舗情報と店舗評価情報は、ユーザ識別情報とともにデータベースに一次保存しておく。
【００５０】
ユーザ識別情報及びサーバ識別情報を受信した位置取得局１２は、ユーザ識別情報及びサーバ識別情報を位置情報送信制御局１７に送信し、携帯電話１１の位置情報をサービス提供サーバ１３に提供してよいか否かを問い合わせる。問い合わせを受けた位置情報送信制御局１７は、事前にデータベースに登録してある携帯電話１１のユーザポリシー２１をユーザ識別情報との対応から見つけだし、このユーザポリシー２１と、事前にデータベースに登録してあるサービス提供サーバ１３の情報要求ポリシー２３をサーバ識別情報との対応から見つけだし、この情報要求ポリシー２３と、位置取得局１２の情報提供ポリシー２２とを処理装置において比較検討し、それぞれのポリシーが適合した場合は送信可と位置取得局１２に通知する。それぞれのポリシーが適合しない場合は、送信不可と位置取得局１２に通知する。
【００５１】
送信可の通知を受けた位置取得局１２は、位置情報をユーザ識別情報及びサーバ識別情報とともにサービス提供サーバ１３へ送信する。
【００５２】
サービス提供サーバ１３は、位置情報とユーザ識別情報とを受信すると、前に受信していた位置情報及び位置評価情報とともに関連させてデータベース（情報記憶手段に相当）に保存する。
【００５３】
無線基地局１５Ｂが管轄するエリアＢ内において、携帯端末１４（携帯端末のみとする）を有するユーザが、近隣のエリアＡ内の店舗に関する情報を、携帯電話１４を用いてサービス提供サーバ１３に要求する場合について説明する。
【００５４】
ここでは、サービス提供サーバ１３が位置情報送信制御局１７に対して携帯電話１４の位置情報の取得を要求する前に、携帯電話１４のユーザ識別情報と対応したユーザポリシー２４と、位置取得局１２の情報提供ポリシー２２と、サービス提供サーバ１３の情報要求ポリシー２３とが、位置情報送信制御局１７のデータベースに登録されているものとする。また、携帯端末１４のユーザ識別情報と対応するパスワードも事前にサービス提供サーバ１３のデータベースに登録されているものとする。
【００５５】
図４は、無線基地局１５Ｂが管轄するエリアＢ内において、携帯端末１４のユーザが、近隣のエリアＡ内の店舗に関する情報を、携帯電話１４を用いてサービス提供サーバ１３に要求し取得する手順を表すシーケンス図である。
【００５６】
ユーザによりユーザ識別情報とパスワードとが携帯電話１４に入力されると、サービス提供サーバ１３へ送信され、それらを受け取ったサービス提供サーバ１３はデータベースからパスワードを抽出し認証を行う。パスワードが認証されれば、サービス提供サーバ１３は続いてユーザ識別情報及びサーバ識別情報を位置取得局１２に送信する。
【００５７】
ユーザ識別情報及びサーバ識別情報を受信した位置取得局１２は、ユーザ識別情報及びサーバ識別情報を位置情報通信制御局１７へ送信し、携帯電話１４の位置情報をサービス提供サーバ１３へ提供してもよいか否かを問い合わせる。
【００５８】
問い合わせを受けた位置情報送信制御局１７は、事前にデータベースに登録してある携帯電話１４のユーザポリシー２４をユーザ識別情報との対応から見つけだし、このユーザポリシー２４と、事前にデータベースに登録してあるサービス提供サーバ１３の情報要求ポリシー２３をサーバ識別情報との対応から見つけだし、この情報要求ポリシー２３と、位置取得局１２の情報提供ポリシー２２とを処理装置において比較検討し、それぞれのポリシーが適合した場合は送信可と位置取得局１２に通知する。それぞれのポリシーが適合しない場合は、送信不可と位置取得局１２に通知する。
【００５９】
送信可の通知を受けた位置取得局１２は、携帯電話１４の位置情報をユーザ識別情報及びサーバ識別情報とともにサービス提供サーバ１３へ送信する。
【００６０】
サービス提供サーバ１３は、ユーザ識別情報、サーバ識別情報及び位置情報を受信すると、近隣のエリアＡを含む複数のエリアのエリアメニュー（選択肢）を携帯電話１４に提供、選択させ、エリアＡが選ばれると、次いで上記の店舗情報を含む、エリアＡ内での天気予報や道路状況等のメニュー（選択肢）を提供し、携帯電話１４が店舗情報を選択すると、携帯電話１１から提供された店舗情報及び店舗評価情報を抽出する。そして、携帯電話１４に送信する。受信した携帯電話１４は画面上に店舗情報及び店舗評価情報を表示する。
【００６１】
本実施形態では、携帯電話１４は携帯電話１１がエリアＡ内の店舗に関する情報をサービス提供サーバ１３から受信しているが、このように提供された情報だけでなく、例えば、あるエリア内における天気予報、道路の混雑状況、ホテルの予約状況等、サービス提供サーバ１３に蓄積してある情報も受信することができる。
【００６２】
また、サービス提供サーバ１３は、データベースに記憶されている地図上に、携帯電話１４の正確な位置を明示して画面データとし携帯電話１４に提供することができる。携帯電話１４は受信した画面データをディスプレイ上に表示する。
【００６３】
また、本実施形態では、携帯電話１１及び１４の位置情報は、無線基地局１５Ａまたは１５Ｂにより検知され位置取得局１２へ通知されるが、携帯電話１１及び１４はこのようなものに限らず、ＧＰＳ（Ｇｌｏｂａｌ  ｐｏｓｉｔｉｏｎｉｎｇ  ｓｙｓｔｅｍ）機能を搭載しているものでもよく、その場合は、無線基地局１５Ａ，１５Ｂを介さずに位置情報は位置取得局１２に送られる。
【００６４】
また、携帯電話１１及び１４は、無線ＬＡＮを介して、電気通信網１６に接続することもできる。
【００６５】
図５は本発明の情報提供システム上のサービスにおけるマネーフローの例を示している。
【００６６】
位置取得局１２の運営者は、携帯電話１１または１４に無線通信等のアクセス手段を提供しており、その対価として携帯電話１１または１４から通信手段利用料を受け取る。位置取得局１２の運営者はまた、サービス提供サーバ１３の運営者に対して携帯電話１１または１４の位置情報とユーザ識別情報を提供しており、その対価としてサービス提供サーバ１４の運営者から情報取得料を受け取る。サービス提供サーバ１２は、携帯端末１１または１４に画面データを送信する際に、各種企業の広告を同時に送信でき、その対価として広告業者から広告掲載料を受け取る。
【００６７】
【発明の効果】
以上説明したように、本発明によれば、情報提供側端末がサービス提供サーバに現在の位置における固有情報を提供する場合でも、情報要求側端末がサービス提供サーバに情報の取得を要求する場合でも、情報提供側端末または情報要求側端末の位置情報を提供してよいかを随時確認するような煩雑な手順を経ることなく、事前に位置情報送信制御装置に位置情報の利用条件をきめ細かに設定しておくことによって位置情報の送信を制御することができ、情報提供側端末または情報要求側端末の位置情報が無断で採取されることがなくなるという効果を奏する。したがって、安心してネットワークにアクセスすることができ、プライバシー保護が保証されているという心理的効果から、利用者数の増加と情報流通の活発化、サービスの活性化を期待できる。
【図面の簡単な説明】
【図１】情報提供システムの従来例を示す図
【図２】本発明の一実施形態に係る情報提供システムを示す図
【図３】情報提供側端末がサービス提供サーバに情報を提供する手順を表すシーケンス図
【図４】情報要求側端末がサービス提供サーバから情報を取得する手順を表すシーケンス図
【図５】情報提供システム上のサービスについてのマネーフローの例を示す図
【符号の説明】
１，１１…携帯電話、２，１２…位置取得局、３，１３…サービス提供サーバ、４，１４…携帯電話またはＰＣ、５Ａ，５Ｂ，１５Ａ，１５Ｂ…無線基地局、６，１６…電気通信網、１７…位置情報送信制御局、２１，２４…ユーザポリシー、２２…情報提供ポリシー、２３…情報要求ポリシー。
【図１】
2004260724.tif 000003
【図２】
2004260724.tif 000004
【図３】
2004260724.tif 000005
【図４】
2004260724.tif 000006
【図５】
2004260724.tif 000007